(57)【要約】【課題】安価な無段変速機及びアクチュエータを提供する。【解決手段】プーリ軸に固定され一体的に回転する固定シーブと、前記プーリ軸に沿って軸線方向移動可能に支持された可動シーブと、前記固定シーブと前記可動シーブとの間に配置されたベルトと、前記可動シーブを軸線方向に移動させてプーリ溝幅を可変するアクチュエータとを有する無段変速機であって、前記アクチュエータは、電動モータと、前記電動モータが発生した回転力を伝達する減速機構と、前記減速機構を介して前記電動モータの動力を入力するナットと、前記ナットの回転量に応じて軸線方向に変位するねじ軸と、一端を前記ねじ軸に連結し、他端を前記可動シーブに連結し揺動可能となっている揺動部材とを有し、前記アクチュエータにはセンサが設けられていないことを特徴とする。【選択図】図１
2012241812.tif 000002
【特許請求の範囲】
【請求項１】
プーリ軸に回転を入力する入力軸と、前記プーリ軸に固定され一体的に回転する固定シーブと、前記プーリ軸に沿って軸線方向移動可能に支持された可動シーブと、前記可動シーブと前記固定シーブとからなる駆動側プーリと、前記固定シーブと前記可動シーブとの間に配置されたベルトと、前記ベルトを介して前記駆動側プーリと連結される従動側プーリと、前記従動側プーリに前記ベルトを介して変速された回転を出力する出力軸と、前記可動シーブを軸線方向に移動させてプーリ溝幅を可変するアクチュエータとを有する無段変速機において、
前記入力軸及び前記出力軸の回転数を検出するセンサを備え、
前記各センサで検出した前記入力軸及び出力軸の回転数により、前記アクチュエータを制御することを特徴とする無段変速機。
【請求項２】
前記アクチュエータは、電動モータと、前記電動モータが発生した回転力を伝達する減速機構と、前記減速機構を介して前記電動モータの動力を入力するナットと、前記ナットの回転量に応じて軸線方向に変位するねじ軸と、一端を前記ねじ軸に連結し、他端を前記可動シーブに連結し揺動可能となっている揺動部材とを有し、
前記アクチュエータにはセンサが設けられていないことを特徴とする請求項１に記載の無段変速機。
【請求項３】
電動モータと、前記電動モータが発生した回転力を伝達する減速機構と、前記減速機構を介して前記電動モータの動力を入力するナットと、前記ナットの回転量に応じて軸線方向に変位するねじ軸とを有し、
センサが設けられていないことを特徴とするアクチュエータ。
【発明の詳細な説明】
【技術分野】
【０００１】
本発明は、無段変速機、特に車両用のＶベルト式無段変速機及びそれに用いると好適なアクチュエータに関するものである。
【背景技術】
【０００２】
従来、特許文献１に示されるように、電動モータと、プーリ軸に固定された固定シーブとプーリ軸に軸線方向移動可能に支持された可動シーブとを有するプーリと、電動モータの回転力により可動シーブを軸線方向に変位させてプーリ溝幅を可変するアクチュエータと、この電動モータの回転力をアクチュエータへ伝達するギヤ機構とを備えた無段変速機が提案されている。
【先行技術文献】
【特許文献】
【０００３】
【特許文献１】特開２００９−７９７５９号公報
【発明の概要】
【発明が解決しようとする課題】
【０００４】
特許文献１には、アクチュエータにセンサを設け、軸線方向変位量を測定し、その挙動を制御する旨記載されている。しかしながら、センサ自体及びその周辺部品のコスト、更にはそれらの組立コストといった点から、このような構成には改善の余地がある。
【０００５】
上記に鑑み、本発明は、安価な無段変速機及び無段変速機に用いるアクチュエータを提供することを目的とする。
【課題を解決するための手段】
【０００６】
本発明の上記目的は、下記の構成により達成される。
（１）プーリ軸に回転を入力する入力軸と、前記プーリ軸に固定され一体的に回転する固定シーブと、前記プーリ軸に沿って軸線方向移動可能に支持された可動シーブと、前記可動シーブと前記固定シーブとからなる駆動側プーリと、前記固定シーブと前記可動シーブとの間に配置されたベルトと、前記ベルトを介して前記駆動側プーリと連結される従動側プーリと、前記従動側プーリに前記ベルトを介して変速された回転を出力する出力軸と、前記可動シーブを軸線方向に移動させてプーリ溝幅を可変するアクチュエータとを有する無段変速機において、
前記入力軸及び前記出力軸の回転数を検出するセンサを備え、
前記各センサで検出した前記入力軸及び出力軸の回転数により、前記アクチュエータを制御することを特徴とする無段変速機。
（２）前記アクチュエータは、電動モータと、前記電動モータが発生した回転力を伝達する減速機構と、前記減速機構を介して前記電動モータの動力を入力するナットと、前記ナットの回転量に応じて軸線方向に変位するねじ軸と、一端を前記ねじ軸に連結し、他端を前記可動シーブに連結し揺動可能となっている揺動部材とを有し、
前記アクチュエータにはセンサが設けられていないことを特徴とする（１）の無段変速機。
（３）電動モータと、前記電動モータが発生した回転力を伝達する減速機構と、前記減速機構を介して前記電動モータの動力を入力するナットと、前記ナットの回転量に応じて軸線方向に変位するねじ軸とを有し、センサが設けられていないことを特徴とするアクチュエータ。
【発明の効果】
【０００７】
本発明によれば、アクチュエータにセンサを設けていないため、センサ自体及びその周辺部品のコスト、更にはそれらの組立コストを抑えることができ、低コストなアクチュエータ及び無段変速機を実現できる。
【図面の簡単な説明】
【０００８】
【図１】本発明の実施の形態を示すブロック図である。
【図２】本発明の実施の形態に係るアクチュエータの制御方法を示すフローチャートである。
【発明を実施するための形態】
【０００９】
以下、本発明の実施の形態を図面を参照して説明する。図１は、本発明に係るベルト式無段変速機を表すブロック図である。図２は、図１のアクチュエータの制御方法を示すフローチャートである。
【００１０】
図１に示すベルト式無段変速機１は、エンジン２から伸びるクランク軸３（入力軸）と同軸に連結された駆動側プーリ４と、車輪５に動力を伝達する出力軸６と同軸に連結された従動側プーリ７と、駆動側プーリ４から従動側プーリ７に動力を伝達する無端状のＶベルト８と、駆動側プーリ４へのＶベルト８の巻き掛け半径を変化させるアクチュエータ９からなる。
【００１１】
駆動側プーリ４は、クランク軸３に固定された固定シーブ４１と、固定シーブ４１に対して接近・離間可能な可動シーブ４２とを備える。Ｖベルト８を巻き掛けるようにして固定シーブ４１及び可動シーブ４２間に形成されるベルト溝の幅、すなわち巻き掛け半径を変化させるために、可動シーブ４２はアクチュエータ９により軸方向に駆動される。
【００１２】
このアクチュエータ９は、例えば特開２００９−７９７５９号公報のように、電動モータと、電動モータが発生した回転力を伝達する減速機構と、前記減速機講を介して前記電動モータの動力を入力するナットと、前記ナットの回転量に応じて軸線方向に変位するねじ軸と、一端を前記ねじ軸に連結し、他端を可動シーブ４２に連結し揺動可能となっている揺動部材とを有する。すなわち、アクチュエータ９の前記モータの回転力により、可動シーブ４２が軸方向に移動し、前記巻き掛け半径が変化する。
【００１３】
従動側プーリ７は、可動シーブ７１と固定シーブ７２とを備え、駆動側プーリ４と平行な軸線上に配置される。減速の場合、駆動側プーリ４の可動シーブ４２が固定シーブ４１に接近する方向へ駆動され、Ｖベルト８で連結された従動側プーリ７の可動シーブ７１が固定シーブ７２と離隔するように駆動される。これにより、駆動側プーリ４のＶベルト８の巻き掛け半径が大きくなり、従動側プーリ７では巻き掛け半径が小さくなり、クランク軸３の回転速度に対して出力軸６の回転速度が低下し、減速を実現できる。増速の場合は逆となる。
【００１４】
駆動側プーリ４及び従動側プーリ７により、クランク軸３から入力されたエンジンの回転は変速されて出力軸６へ出力される。出力軸６は不図示の減速機等を介して車軸に連結されており、出力軸６へ出力された回転により、車輪５が回転駆動される。
【００１５】
また、駆動側プーリ４を駆動するアクチュエータ９にはセンサが設けられていない。クランク軸３及び出力軸６の回転数を検出可能な位置に入力側センサ３１、出力側センサ６１が設けられており、入力側センサ３１及び出力側センサ６１で検出したクランク軸３及び出力軸６の回転数により、図２のようにアクチュエータ９の前記モータの回転量を制御する。
【００１６】
以下、この制御方法について説明する。
まず、入力側センサ３１及び出力側センサ６１で検出したクランク軸３及び出力軸６の回転数を制御部１０（図１）に送り、これらより駆動側プーリ４及び従動側プーリ７での変速比を計算する（ステップＳ１）。次に、計算された変速比と要求される変速比との差を計算し（ステップＳ２）、アクチュエータ９の前記モータの回転量を制御する（ステップＳ３）。
【００１７】
これにより、駆動側プーリ４及び従動側プーリ７の変速比を直接検出して制御するので、アクチュエータ９のみでセンシング及び制御を行った場合よりも、より正確な変速比の制御が可能となる。また、アクチュエータ９にセンサを設ける必要がないので、センサ自体及びその周辺部品のコスト、更にはそれらの組立コストを抑えることができ、低コストなアクチュエータ及び無段変速機を実現できる。
【００１８】
なお、以上の説明では、入力側センサ３１をクランク軸３の回転数を検出するものとしたが、クランク軸３と一定の変速比を有する部分の回転数を検出するものとしても良い。出力側センサ６１についても同様である。また、入力側センサ３１は、いわゆるエンジンの回転数測定のためのセンサとしても使用可能であり、出力側センサ６１は、車速測定用のセンサとしても用いることができる。
【００１９】
また、前記アクチュエータ９は、駆動側プーリ１と平行な軸線上に並列に配置することが好ましい。これにより、前記揺動部材で前記ねじ軸の軸線方向変位を可動シーブ４２の軸方向変位に変換しているため、前記ナットの慣性を抑えることができ、駆動側プーリ４のプーリ幅の高速制御を容易に行える。また、前記揺動部材を介在させることで、Ｖベルト８の付勢力で可動シーブ４２が傾いても、前記ねじ軸の傾きを招来せず、前記ねじ軸及び前記ナットの疲労寿命等の低下を制御できる。
【符号の説明】
【００２０】
１    ベルト式無段変速機
２    エンジン
３    クランク軸
４    駆動側プーリ
５    車輪
６    出力軸
７    従動側プーリ
８    Ｖベルト
９    アクチュエータ
１０    制御部
【図１】
2012241812.tif 000003
【図２】
2012241812.tif 000004